(57)【要約】      （修正有）【課題】オイルフィルター交換時におけるオイル漏れを抑制すると共に、工具の管理負担と購入コストの増加という問題を解決するオイルフィルター用収容具を提供する。【解決手段】オイルフィルター用収容具は、略筒状であり、一端に閉塞した底部１１を有し、他端に開口部を有しており、内部に略円柱形状のオイルフィルター３’を収容可能な容器１と、容器１の底部１１に当接して当該容器１に収容された状態のオイルフィルター３’の外周に巻き付けられる所定の長さを有する帯状体２と、を備える。そして、帯状体２は、当該帯状体自体が巻回された状態で容器１の底部１１に配置可能であり、容器１は、当該容器の底部に配置された帯状体２の上部にさらにオイルフィルター３’を収容可能なよう構成されている。【選択図】図２
0003222862.tif 000002
【実用新案登録請求の範囲】
【請求項１】
略筒状であり、一端に閉塞した底部を有し、他端に開口部を有しており、内部に略円柱形状のオイルフィルターを収容可能な容器と、
前記容器の前記底部に当接して当該容器に収容された状態の前記オイルフィルターの外周に巻き付けられる所定の長さを有する帯状体と、を備え、
前記帯状体は、当該帯状体自体が巻回された状態で前記容器の底部に配置可能であり、
前記容器は、当該容器の前記底部に配置された前記帯状体の上部にさらに前記オイルフィルターを収容可能なよう構成されている、
オイルフィルター用収容具。
【請求項２】
請求項１に記載のオイルフィルター用収容具であって、
前記帯状体は、当該帯状体自体が巻回された状態で前記容器の前記底部に配置されたときに、当該帯状体自体の間、及び／又は、当該帯状体と前記容器の前記底部付近の側壁との間に、所定の隙間を有する、
オイルフィルター用収容具。
【請求項３】
請求項１又は２に記載のオイルフィルター用収容具であって、
前記容器は、前記底部から前記開口部までの長さが、前記帯状体の幅方向の長さと前記オイルフィルターの高さ方向の長さとを合わせた長さ以上に形成されている、
オイルフィルター用収容具。
【請求項４】
請求項１乃至３のいずれかに記載のオイルフィルター用収容具であって、
前記容器の側壁は、外側からの押圧により内側に凹むよう変形可能に構成されている、
オイルフィルター用収容具。
【請求項５】
請求項１乃至４のいずれかに記載のオイルフィルター用収容具であって、
前記容器の側壁は、前記開口部から前記底部に向かって内径が徐々に小さくなる円錐台形状に形成されている、
オイルフィルター用収容具。
【請求項６】
請求項１乃至５のいずれかに記載のオイルフィルター用収容具であって、
前記容器の前記開口部は、前記オイルフィルターの外形よりも大きく形成されている、
オイルフィルター用収容具。
【請求項７】
請求項１乃至６のいずれかに記載のオイルフィルター用収容具であって、
前記容器は紙製である、
オイルフィルター用収容具。
【考案の詳細な説明】
【技術分野】
【０００１】
本考案は、オイルフィルターを収容するオイルフィルター用収容具に関する。
【背景技術】
【０００２】
オイルフィルターは、エンジンルーム内のエンジンブロックに装着され、潤滑油類の不純物等を濾過除去し、エンジンのスムーズな作動を助ける働きをするものである。このため、オイルフィルターを交換することは重要で必須な作業となる。そして、オイルフルターが円柱形状である場合には、当該オイルフィルターの端部付近の外周に嵌め合わされるよう、内側面が多角形に形成されたカップ式オイルフィルターレンチを用いて、当該オイルフィルターの着脱を行う。
【０００３】
ここで、オイルフィルターには、エンジンブロックに垂直状態で装着されているものがある。この場合、オイルフィルターの取り外し作業を行う作業者は、まず、オイルフィルターの下方側からカップ式オイルフィルターレンチを嵌め合わせて回転させることで、オイルフィルターの装着状態を緩める。そして、作業者は、エンジンブロックに対する装着状態を緩めたオイルフィルターを把持してさらに回転させて、エンジンブロックに対するオイルフィルターの螺合を解き、オイルフィルターを取り外すことができる。
【０００４】
ところが、上述したように垂直状態で装着されているオイルフィルターの場合、作業者が把持してオイルフィスターを回転させて、エンジンブロックに対する螺合を解く際に、オイルが漏れる。すると、オイルフィルターの下方で作業を行っている作業者の手や衣服等にオイルがかかってしまい、作業の妨げとなり、オイルが高温の場合には作業者が火傷をする場合がある、という問題が生じる。
【０００５】
ここで、上述した問題を解決するためのオイルフィルター交換用工具が、特許文献１に開示されている。このオイルフィルター交換用工具は、カップ式オイルフィルターレンチを内部に挿入可能な容器を備えており、かかる容器内にカップ式オイルフィルターレンチの下面に形成された嵌合穴に挿入され回転力を伝達する突起部を備えている。これにより、工具でオイルフィルターを回転させる際に、当該オイルフィルターの下端側が容器に収容された状態になるため、オイルが漏れた場合であっても容器で受け止めることができ、作業者にオイルがかかることを抑制することができる。
【先行技術文献】
【特許文献】
【０００６】
【特許文献１】特開２０１０−１９２０６号公報
【考案の概要】
【考案が解決しようとする課題】
【０００７】
しかしながら、上述したオイルフィルター交換用工具は、オイルフィルターの交換時にのみ使用する工具であるため、用意する工具の数が増えることによる管理負担の増加と、かかる工具の購入コストの増加、という問題が生じる。
【０００８】
このため、本考案の目的は、上述した課題である、工具の管理負担と購入コストの増加という問題を解決することにある。
【課題を解決するための手段】
【０００９】
本考案の一形態であるオイルフィルター用収容具は、
略筒状であり、一端に閉塞した底部を有し、他端に開口部を有しており、内部に略円柱形状のオイルフィルターを収容可能な容器と、
前記容器の前記底部に当接して当該容器に収容された状態の前記オイルフィルターの外周に巻き付けられる所定の長さを有する帯状体と、を備え、
前記帯状体は、当該帯状体自体が巻回された状態で前記容器の底部に配置可能であり、
前記容器は、当該容器の前記底部に配置された前記帯状体の上部にさらに前記オイルフィルターを収容可能なよう構成されている、
という構成をとる。
【００１０】
また、上記オイルフィルター用収容具では、
前記帯状体は、当該帯状体自体が巻回された状態で前記容器の前記底部に配置されたときに、当該帯状体自体の間、及び／又は、当該帯状体と前記容器の前記底部付近の側壁との間に、所定の隙間を有する、
という構成をとる。
【００１１】
また、上記オイルフィルター用収容具では、
前記容器は、前記底部から前記開口部までの長さが、前記帯状体の幅方向の長さと前記オイルフィルターの高さ方向の長さとを合わせた長さ以上に形成されている、
という構成をとる。
【００１２】
また、上記オイルフィルター用収容具では、
前記容器の側壁は、外側からの押圧により内側に凹むよう変形可能に構成されている、
という構成をとる。
【００１３】
また、上記オイルフィルター用収容具では、
前記容器の側壁は、前記開口部から前記底部に向かって内径が徐々に小さくなる円錐台形状に形成されている、
という構成をとる。
【００１４】
また、上記オイルフィルター用収容具では、
前記容器の前記開口部は、前記オイルフィルターの外形よりも大きく形成されている、
という構成をとる。
【００１５】
また、上記オイルフィルター用収容具では、
前記容器は紙製である、
という構成をとる。
【考案の効果】
【００１６】
本考案のオイルフィルター用収容具は、以上のように構成されることにより、新品のオイルフィルターを収容している容器を、使用済みのオイルフィルターを取り外す際の工具として使用でき、さらに漏れたオイルを受けることもできる。このため、オイルフィルターの交換に使用する工具の管理負担を低減し、工具コストの低減をはかることができる。
【図面の簡単な説明】
【００１７】
【図１】オイルフィルターを取り外すときの様子を示す図である。
【図２】本考案におけるオイルフィルター用収容具の構成及び使用時の様子を示す図である。
【図３】本考案におけるオイルフィルター用収容具の構成及び使用時の様子を示す図である。
【図４】本考案におけるオイルフィルター用収容具の構成及び使用時の様子を示す図である。
【図５】本考案におけるオイルフィルター用収容具の構成及び使用時の様子を示す図である。
【考案を実施するための形態】
【００１８】
＜実施形態１＞
本考案の第１の実施形態を図１乃至図５を参照して説明する。まず、オイルフィルター３は、図１に示すように、エンジンブロック４に垂直状態で螺合されて装着されている。そして、オイルフィルター３は、略円柱形状であり、下端部分の側面が多角形に形成されている。このため、このようなオイルフィルター３を交換する際には、通常、図１に示すようなカップ式オイルフィルターレンチ５を用いて行う。カップ式オイルフィルターレンチ５は、内側面が多角形に形成されており、下方からオイルフィルター３の下端付近の外周に嵌め合わせて回転させることで、エンジンブロック４に対するオイルフィルター３の装着状態を緩めることができる。なお、以下に説明する本考案におけるオイルフィルター用収容具を用いる場合にも、まずはカップ式オイルフィルターレンチ５を用いて、オイルフィルター３の装着状態を緩めることとなる。
【００１９】
次に、図２乃至図５を参照して、新品のオイルフィルターの包装として機能すると共に、オイルフィルターの交換時に使用する本考案におけるオイルフィルター用収容具について説明する。なお、図２，３，５では、下図にオイルフィルター用収容具を側方から見た図を示し、上図に上方から見た図を示す。
【００２０】
まず、オイルフィルター用収容具は、図２に示すように、下端に底部１１を有する容器１を備えており、はじめは新品のオイルフィルター３’を収容している。つまり、オイルフィルター用収容具は、使用済みのオイルフィルター３の交換作業時に新たに取り付ける新品のオイルフィルター３’の包装容器としての機能を有している。
【００２１】
上記容器１は、図１に示すように、一般的な紙コップとほぼ同様の形状を有している。つまり、容器１は、略筒状であり、下端に閉塞した底部１１を有し、上端に開口部を有しており、開口部から底部１１に向かって内径が徐々に小さくなるテーパー形状つまり円錐台形状に形成されている。そして、容器１の開口部は、略円柱形状であるオイルフィルター３’の外形よりも大きく形成されており、オイルフィルター３’の直径よりも大きい直径の円形状に形成されている。また、容器１の底部１１は、略円柱形状であるオイルフィルター３’の外形よりもやや大きいかほぼ同等に形成されており、オイルフィルター３’の直径よりもやや大きいかほぼ同等の直径の円形状に形成されている。かかる形状の容器１の内部には、図１に示すように、新品のオイルフィルター３’の下端が底部１１に当接した状態で収容されることとなる。
【００２２】
なお、容器１の内部の高さ、つまり、底部１１から開口部までの長さは、オイルフィルター３’の高さ方向の長さつまり略円柱形状の軸方向の長さよりも長く形成されている。具体的に、容器１の高さは、後述するように、オイルフィルター３’と一緒に収容される帯状体２の幅方向の長さと、オイルフィルター３’の高さ方向の長さと、を合わせた長さ以上に形成されている。但し、容器１の内部の高さは、必ずしも上述した長さであることに限定されない。
【００２３】
また、容器１は、例えば紙製である。このため、容器の側壁は、作業者が手で外側から内側に向かって押圧することで、当該内側に変形可能なよう構成されている。但し、容器１は必ずしも紙製であることに限定されず、いかなる材料で形成されていてもよい。
【００２４】
そして、オイルフィルター用収容具は、さらに、所定の長さを有する帯状体２を有する。帯状体２は、例えば段ボールなど所定の厚みを有して構成されている。そして、帯状体２は、容器１内に収容されたオイルフィルター３’の外周に巻き付けられた状態で、当該オイルフィルター３’と共に容器１内に収容される。これにより、帯状体２は、図２に示すように、オイルフィルター３’の側面と容器１の内側面との間の隙間に配置された状態となる。その結果、オイルフィルター３’が容器１の内部で水平方向に移動してしまうことを抑制することができる。なお、図２の例では、帯状体２は、オイルフィルター３’の周囲に１周以上巻き付けられる長さであるが、かかる長さであることに限定されず、複数周巻き付けられる長さであってもよく、オイルフィルター３’の周囲の一部のみに巻き付けられる長さであってもよい。
【００２５】
なお、オイルフィルター用収容具は、例えば、上述したように容器１内に新品のオイルフィルター３’を収容した状態で、容器１の開口部が透明シートなどで封止される。このとき、新品のオイルフィルター３’の上部に存在する空間に、緩衝材などの充填部材が充填されてもよい。そして、上述したようにオイルフィルター用収容具に収容された新品のオイルフィルター３’は、作業者によって使用済みのオイルフィルター３と交換されることなる。
【００２６】
次に、オイルフィルター３，３’の交換作業について説明する。まず、作業者は、使用済みのオイルフィルター３が設置されているエンジンブロック４付近である作業場所において、オイルフィルター用収容具の容器１内から新品のオイルフィルター３’と帯状体２とを取り出して配置する。そして、作業者は、容器１内に帯状体２を配置する。具体的に、作業者は、図３に示すように、帯状体２自体を巻回し、巻回した帯状体２の幅方向が容器１の高さ方向に向いた状態で、当該帯状体２を容器１の底部１１に配置する。このとき、帯状体２を緩く巻回することで、帯状体２自体の相互間に隙間ができ、また、帯状体２と容器１の底部１１付近の側壁との間にも隙間ができる。特に、図３に示す例では、帯状体２を環状に巻回することによって、その内部に空間が形成されることとなる。
【００２７】
続いて、作業者は、使用済みのオイルフィルター３の取り外しを行う。作業者は、まず、上述したように、図１に示すようにカップ式オイルフィルターレンチ５を用いて、エンジンブロック４に装着された使用済みのオイルフィルター３のエンジンブロック４に対する装着状態を少し緩める。
【００２８】
そして、作業者は、エンジンブロック４に対する装着状態を少し緩めたオイルフィルター３を、上述したように帯状体２を底部１１に配置した容器１を用いて把持する。具体的に、作業者は、図４に示すように、容器１の開口部からオイルフィルター３の下端側を容器１内部に挿入させ、かかる状態で容器１の側壁を把持する。このとき、容器１の側壁は、外側からの押圧により内側に凹むよう変形し、これにより、作業者は容器１の側壁を介してオイルフィルター３を把持することができる。そして、作業者は、容器１を介して把持しているオイルフィルター３を回転させることで、エンジンブロック４に対するオイルフィルター３の螺合を徐々に解き、エンジンブロック４からオイルフィルター３を取り外す。
【００２９】
ここで、上述したように作業者が容器１を用いて使用済みのオイルフィルター３を回転させて螺合を徐々に解いているとき、及び、完全に解いたときには、オイルが下方に漏れる。しかしながら、容器１の開口部がオイルフィルター３の外形よりも大きく形成されていることから、漏れたオイルを容器１で受けることができ、オイルが容器１に流れ込み、当該容器１の底面１１に溜まることとなる。このとき、上述したように、容器１の底部１１に配置された帯状体２自体の間や、帯状体２と容器１の側壁との間に空間が形成されているため、かかる空間にオイルを溜めておくことができる。
【００３０】
その後、作業者は、エンジンブロック４から取り外した使用済みのオイルフィルター３を、そのまま容器１内に収容する。すると、オイルフィルター３は、容器１の底部１１に配置された帯状体２の上部に配置された状態で、容器１内に収容されることとなる。このとき、容器１の底部１１にはオイルが溜まっているが、帯状体２の周囲の隙間に溜まっており、帯状体２の上部にオイルフィルター３が支持されているため、オイルが容器１から漏れることを抑制できる。
【００３１】
そして、作業者は、オイルと使用済みのオイルフィルター３が収容された容器１を、そのまま作業場所に置いておき、最初に容器１から取り出した新品のオイルフィルター３’をエンジンブロック４に装着する。これにより、オイルフィルターの交換作業が終了し、その後、作業者は、オイルと使用済みのオイルフィルター３が収容された容器１を、そのまま廃棄場所に持ち運び、廃棄作業を行うことができる。
【００３２】
なお、図５の例では、底部１１に配置された帯状体２の上部に収容した使用済みのオイルフィルター３が、容器１内に完全に収容されることとなるが、容器１の高さは、必ずしも帯状体２の上部にオイルフィルター３が完全に収容される高さに形成されることに限定されない。つまり、容器１の高さは、底部１１に配置された帯状体２の上部に収容した使用済みのオイルフィルター３の一部が容器１の開口部から上方に突出してしまうような高さであってもよい。
【００３３】
以上のように、本考案におけるオイルフィルター用収容具は、新品のオイルフィルター３’を包装する容器１を、使用済みのオイルフィルター３の取り外し作業に使用することができ、コストの低減を図ることができる。また、帯状体２を底部１１に配置した容器１を用いて使用済みのオイルフィルター３の取り外し作業を行うことで、オイルを容器１内に確実に回収して溜めることができ、作業者にオイルがかかることを抑制し、作業の円滑化を図ることができる。
【００３４】
なお、上記では、帯状体２の一例として段ボールを挙げたが、帯状体２をいかなる部材で形成されてもよい。例えば、帯状体２は、オイルを吸収可能な部材を含んで構成されていてもよい。但し、帯状体２は、所定の強度を有する部材であることが望ましく、特に、巻回されることにより幅方向に沿ってオイルフィルター自体の加重を支持できる強度を有する部材で構成されることが望ましい。
【００３５】
以上、上記実施形態等を参照して本願考案を説明したが、本願考案は、上述した実施形態に限定されるものではない。本願考案の構成や詳細には、本願考案の範囲内で当業者が理解しうる様々な変更をすることができる。
【符号の説明】
【００３６】
１  容器
１１  底部
２  帯状体
３，３’  オイルフィルター
４  エンジンブロック
５  カップ式オイルフィルターレンチ
【図１】
0003222862.tif 000003
【図２】
0003222862.tif 000004
【図３】
0003222862.tif 000005
【図４】
0003222862.tif 000006
【図５】
0003222862.tif 000007